(57)【要約】      （修正有）【課題】設置自由度が高い放射線遮蔽体を提供する。【解決手段】第１放射線遮蔽体６０は、第１袋体６０Ｂと、第１袋体６０Ｂを外側から支持する第１支持枠６０Ａおよび第１金網６０Ｃとを備えている。第１袋体６０Ｂは、側面視で台形状の容器である。第１袋体６０Ｂの水平断面積は、下方へ向かう程大きくなっていて、第１支持枠６０Ａの内部空間の水平断面積よりも一回り大きく形成されている。第１袋体６０Ｂの内部には、水が充填されている。【選択図】図６
2015165227.tif 000002
【特許請求の範囲】
【請求項１】
水が充填される容器と、
前記容器を外側から支持する支持体と、
を備えることを特徴とする放射線遮蔽体。
【請求項２】
前記支持体は、前記容器の外側に配置される支持枠と、前記容器と前記支持枠との間に配置される補強部材とを備えることを特徴とする請求項１に記載の放射線遮蔽体。
【請求項３】
前記容器の縦断面形状は、下方へ向かうほど広がる三角形状又は台形状に形成されていることを特徴とする請求項１又は請求項２に記載の放射線遮蔽体。
【請求項４】
前記容器は、互いに連通する複数の隔室を内部に有しており、
前記水は、前記隔室に充填されることを特徴とする請求項１乃至請求項３のいずれか一項に記載の放射線遮蔽体。
【請求項５】
前記支持体同士が連結されて遮蔽壁が形成されることを特徴とする請求項１乃至請求項４のいずれか一項に記載の放射線遮蔽体。
【請求項６】
前記容器は、袋体であることを特徴とする請求項１乃至請求項５のいずれか一項に記載の放射線遮蔽体。
【請求項７】
前記容器の少なくとも一部は、透明又は半透明であることを特徴とする請求項１乃至請求項６のいずれか一項に記載の放射線遮蔽体。
【発明の詳細な説明】
【技術分野】
【０００１】
本発明は、放射線遮蔽体に関する。
【背景技術】
【０００２】
従来、放射線量が高い場所で作業する作業員の被曝量を低減するために、種々の対策が採られている。
【０００３】
一般的な対策としては、清浄土を袋に詰めた大型土嚢袋を、作業場所や休憩場所等の周囲を囲むように設置することが行われている。
また、特許文献１には、金属製遮蔽壁を、作業場所等の周囲を囲むように設置する発明が開示されている。
【先行技術文献】
【特許文献】
【０００４】
【特許文献１】特開２００２−２５７９８３号公報
【発明の概要】
【発明が解決しようとする課題】
【０００５】
しかし、大型土嚢袋や金属製遮蔽壁は質量が嵩むので、設置時、移動時、撤去時に重機やクレーン車を使用する必要がある。そのため、重機等が進入できない狭隘な場所には、大型土嚢袋や金属製遮蔽壁を設置できず、設置自由度が低かった。
【０００６】
また、現場の表層土に多量の放射性物質が含まれている場合には、清浄土を入手するために、深層土を掘り起こしたり、遠方から運搬したりする必要がある。このようなケースでは、放射線遮蔽体の設置に多大な手間とコストを要するおそれがある。
【０００７】
本発明は、このような観点から創案されたものであり、設置自由度が高い放射線遮蔽体を提供することを課題とする。
【課題を解決するための手段】
【０００８】
前記の課題を解決するために、本発明は、水が充填される容器と、前記容器を外側から支持する支持体と、を備えることを特徴とする。
【０００９】
本発明によれば、水によって放射線（特にガンマ線および中性子線）を遮蔽できるので、作業場所等への放射線の入射を抑制でき、ひいては、作業員の被曝量を低減できる。
また、本発明によれば、例えば樹脂製の容器を用いることで、軽量化を実現できる。さらに、放射線遮蔽体の設置時には、空の容器を設置した後で容器に水を充填する一方、放射線遮蔽体の移動時、撤去時には、容器から水を抜いた後で空の容器を運べばよいので、可搬性に優れる。したがって、設置時、移動時、撤去時に重機等を使用する必要がなく、重機等が進入できない狭隘な場所にも設置可能であるので、放射線遮蔽体の設置自由度が高い。
【００１０】
また、本発明によれば、放射線の遮蔽手段として水を用いるので、清浄土に比較して、簡便かつ安価に入手できる。
【００１１】
支持体は、容器の外側に配置される支持枠と、容器と支持枠との間に配置される補強部材とを備えることが好ましい。このようにすると、容器を補強して耐圧性を高めることができる。
【００１２】
容器の縦断面形状は、下方へ向かうほど広がる三角形状又は台形状に形成されていることが好ましい。このようにすると、容器の重心位置が低くなるので、容器の倒れを防止できる。
【００１３】
容器は、互いに連通する複数の隔室を内部に有しており、水は、隔室に充填されることが好ましい。このようにすると、隔室を区画する隔壁によって容器の強度・剛性が高まる。
【００１４】
支持体同士が連結されて遮蔽壁が形成されることが好ましい。このようにすると、容器の倒れを防止できる。また、容器が自立しない場合であっても、放射線遮蔽体を構築することができる。
【００１５】
容器は、袋体であることが好ましい。容器として折り畳み可能な袋体を用いることによって、軽量化に繋がるとともに、保管時や運搬時に嵩張らないので、保管や輸送が容易になる。保管が容易になれば、例えば、原子力発電所の周辺自治体の備蓄として放射線遮蔽体を用意しておくことも可能となる。
【００１６】
容器の少なくとも一部は、透明又は半透明であることが好ましい。このようにすると、外光を採り込みやすくなり、作業場所等の明るさを確保できる。
【発明の効果】
【００１７】
本発明によれば、設置自由度が高い放射線遮蔽体を提供することができる。
【図面の簡単な説明】
【００１８】
【図１】本発明の第１実施形態に係る放射線遮蔽体を休憩場所の周囲を囲むように設置した状態を示す概略斜視図である。
【図２】放射線遮蔽体を示す斜視図である。
【図３】放射線遮蔽体を示す分解斜視図である。
【図４】本発明の変形例に係る放射線遮蔽体を示す斜視図である。
【図５】本発明の第２実施形態に係る放射線遮蔽体で構築された遮蔽壁を模式的に示す平面図である。
【図６】第１放射線遮蔽体を示す一部破断斜視図である。
【図７】第１支持枠を示す斜視図である。
【図８】第１袋体および第１金網を示す斜視図である。
【図９】第２放射線遮蔽体を示す一部破断斜視図である。
【図１０】第２支持枠を示す斜視図である。
【図１１】第２袋体および第２金網を示す斜視図である。
【図１２】図５に示す矢印Ａ方向からの矢視図である。
【図１３】第１放射線遮蔽体と第２放射線遮蔽体との連結構造を示す概略平面図である。
【図１４】第３実施形態に係る放射線遮蔽体を示す平面図である。
【図１５】図１４のＸＶ−ＸＶ線矢視図である。
【発明を実施するための形態】
【００１９】
本発明の第１実施形態に係る放射線遮蔽体について、図面を参照して詳細に説明する。説明において、同一の要素には同一の符号を付し、重複する説明は省略する。
【００２０】
図１に示すように、放射線遮蔽体１は、地面Ｇ上に立設された壁体であり、水平方向に複数並設されている。本実施形態の放射線遮蔽体１は、作業員Ｗの休憩場所Ｓの周囲を囲むように設置されているが、放射線遮蔽体１の設置場所は、特段限定されるものではなく、屋外でも室内（屋内）でもよい。休憩場所Ｓの入口では、一対の放射線遮蔽体１，１が対向して配置されていて、作業員Ｗが出入りするための通路Ｐを構成している。なお、図１では、説明の便宜上、一部の放射線遮蔽体１を二点鎖線で描いている。
図２に示すように、放射線遮蔽体１は、支持枠１０と、支持枠１０の内部に配置された袋体２０とを備える。なお、支持枠１０は、特許請求の範囲における「支持体」に相当するものである。
【００２１】
＜支持枠＞
支持枠１０は、袋体２０を支持するための金属製部材であり、例えばアルミニウム等の軽量金属で形成されている。支持枠１０，１０同士が連結（連設）されることで、休憩場所Ｓの周囲を囲む遮蔽壁が形成される。なお、支持枠１０は、木製でもよい。
図３に示すように、支持枠１０は、左右一対の縦材１１，１１と、前後一対の下横材１２，１２と、前後一対の上横材１３，１３と、四つのブレース１４，１４…とで構成されている。支持枠１０は、複数の部材に分解可能に構成されている。支持枠１０の上下端および前後端には、矩形状の開口部１５ａ〜１５ｄがそれぞれ形成されている。
【００２２】
上端の開口部１５ａは、左右の縦材１１，１１の上端部および前後の上横材１３，１３で囲まれて形成されている。下端の開口部１５ｂは、左右の縦材１１，１１の下端部および前後の下横材１２，１２で囲まれて形成されている。前後端の開口部１５ｃ，１５ｄは、左右の縦材１１，１１、下横材１２および上横材１３で囲まれて形成されている。開口部１５ｃは、休憩場所Ｓ（図２参照）の内側に面している。開口部１５ｄは、休憩場所Ｓの外側に面している。
【００２３】
縦材１１，１１は、地面Ｇ上に立設された溝形鋼である。縦材１１，１１は、左右方向（水平方向）に互いに離間して配置されている。縦材１１，１１は、フランジ部１１ａを互いに向かい合わせて対峙している。
【００２４】
下横材１２，１２は、縦材１１，１１の下端同士を連結する帯板状の部材である。下横材１２，１２は、縦材１１，１１を間に挟んで対峙している。下横材１２の右端は、右側の縦材１１のフランジ部１１ａにボルトＢで固定されている。下横材１２の左端は、左側の縦材１１のフランジ部１１ａにボルトＢで固定されている。
【００２５】
上横材１３，１３は、縦材１１，１１の上端同士を連結する帯板状の部材である。上横材１３，１３は、縦材１１，１１を間に挟んで対峙している。上横材１３の右端は、右側の縦材１１のフランジ部１１ａにボルトＢで固定されている。上横材１３の左端は、左側の縦材１１のフランジ部１１ａにボルトＢで固定されている。
【００２６】
ブレース１４は、左右の縦材１１，１１、下横材１２および上横材１３からなる枠体を補強する円棒状の部材である。ブレース１４は、二つ一組で構成されており、下横材１２および上横材１３の間において左右の縦材１１，１１を繋いでいる。ブレース１４，１４は、交差状に配置されている。ブレース１４の上下端は、左右の縦材１１，１１のフランジ部１１ａにボルトＢでそれぞれ固定されている。
【００２７】
＜袋体＞
袋体２０は、軟質性かつ透明性（透光性）を有する樹脂製の容器である。袋体２０の内部には、水３０が充填されている。袋体２０は、水３０が充填された状態において、縦長の直方体を呈している。袋体２０は、水３０が充填されていない状態において、折り畳み可能に構成されている。袋体２０は、複数の隔室２１を内部に有している。本実施形態では、隔室２１は、縦６列×横３列の合計１８室設けられている。隣接する隔室２１同士の間は、鉛直状や水平状の隔壁２２で仕切られている。隔壁２２には、隣接する隔室２１同士を互いに連通する連通孔２３が形成されている。連通孔２３は、円形状を呈している。
【００２８】
最上段の隔室２１の上壁には、空気を外部へ排出するためのエア抜き部２４が設置されている。最上段かつ中央の隔室２１の上壁には、水３０を注入するための注水部２５が設置されている。袋体２０は、左右の縦材１１，１１、前後の下横材１２，１２、前後の上横材１３，１３および４つのブレース１４，１４…で囲まれた空間１６に配置されている。つまり、袋体２０の周辺（外面）は、支持枠１０で拘束されている。なお、袋体２０は、可視光を透過させるものであればよく、例えば乳白色等の半透明性を有するものであってもよい。袋体２０の材質、厚さ、形状等は、適宜変更してよい。袋体２０が自立可能であれば、支持枠１０を省略してもよい。
【００２９】
本実施形態に係る放射線遮蔽体１は、基本的に以上のように構成されるものであり、次に、放射線遮蔽体１の設置手順について説明する。
【００３０】
はじめに、休憩場所Ｓの周囲に支持枠１０を設置する（図１，図３参照）。
このとき、軽量金属製の支持枠１０を用いることで、重機等を使用することなく設置作業を行える。
【００３１】
支持枠１０を設置した後に、支持枠１０の上端の開口部１５ａから空間１６に空の袋体２０を設置する（図３参照）。
【００３２】
袋体２０を設置した後に、注水部２５から注水しつつ、エア抜き部２４を開けて袋体２０の内部の空気を外部へ排出する（図３参照）。
このとき、水３０は、自重作用によって鉛直下向きに流れ、袋体２０の下部から上部へと徐々に溜まっていく。また、水３０は、連通孔２３を通じて下側や左右両側の隔室２１へ流入する。
【００３３】
全ての隔室２１に水３０を充填した後に、注水部２５およびエア抜き部２４を閉じる（図３参照）。このような手順を経て放射線遮蔽体１が構築される。
なお、全ての支持枠１０を設置した後に、袋体２０の設置作業および注水作業を行ってもよいし、１つの支持枠１０を設置する毎に、袋体２０の設置作業および注水作業を行ってもよい。
【００３４】
以上説明した本実施形態によれば、水３０によって放射線（特にガンマ線および中性子線）を遮蔽できるので、休憩場所Ｓへの放射線の入射を抑制でき、ひいては、作業員Ｗの被曝量を低減できる。
特に、本実施形態によれば、ガンマ線および中性子線の両方を遮蔽できる水３０を用いることで、中性子線を遮蔽できない清浄土や金属を用いる場合に比較して、放射線遮蔽体１の用途が広がる点で技術的意義を有している。
【００３５】
本実施形態によれば、樹脂製の袋体２０および軽量金属製の支持枠１０を用いることで、軽量化を実現できる。さらに、放射線遮蔽体１の設置時には、空の袋体２０を設置した後で袋体２０に水３０を充填する一方、放射線遮蔽体１の移動時、撤去時には、袋体２０から水３０を抜いた後で空の袋体２０を運べばよいので、可搬性に優れる。したがって、設置時、移動時、撤去時に重機等を使用する必要がなく、重機等が進入できない狭隘な場所にも設置可能であるので、放射線遮蔽体１の設置自由度が高い。
【００３６】
本実施形態によれば、放射線の遮蔽手段として水３０を用いるので、清浄土や金属（特に、鉄、鉛、タングステン等の金属）に比較して、簡便かつ安価に入手できる。
【００３７】
本実施形態によれば、透明の袋体２０と水３０を用いるので、外光を採り込みやすくなり、休憩場所Ｓの明るさを確保できる。
【００３８】
本実施形態によれば、支持枠１０によって、袋体２０が支持されるので、袋体２０の倒れを防止できる。
また、袋体２０が自立しない場合であっても、放射線遮蔽体１を構築することができる。
さらに、支持枠１０で袋体２０を支持する構成を採用した場合であっても、休憩場所Ｓの内外に面する開口部１５ｃ，１５ｄを備えるので、外光を支障なく採り込むことができる。
【００３９】
本実施形態によれば、容器として折り畳み可能な袋体２０を用いることによって、軽量化に繋がるとともに、保管時や運搬時に嵩張らないので、保管や輸送が容易になる。また、複数の部材に分解可能な支持枠１０を用いることによって、保管時や運搬時に嵩張らないので、保管や輸送が容易になる。
このように保管が容易になるので、例えば、原子力発電所の周辺自治体の備蓄として放射線遮蔽体１を用意しておくことも可能となる。
【００４０】
袋体２０を用いると、水３０の水圧で袋体２０が過度にはらむ虞があるところ、本実施形態によれば、隔壁２２によって袋体２０の強度・剛性が高まるので、袋体２０が過度にはらむのを防止することができる。
【００４１】
本実施形態によれば、１つの隔室２１に注水すると、隔壁２２に形成された連通孔２３を通じて全ての隔室２１に水３０が充填されるので、注水作業を簡便かつ迅速に行える。
【００４２】
ちなみに、土嚢袋を用いる場合には、立っている作業員Ｗを防護するために、土嚢袋を２段以上に積み重ねて高さを確保する必要がある。そのため、地震時等に、上段の土嚢袋の落下やぐらつきが発生しやすくなってしまい、安定性が低い。
これに対し、本実施形態によれば、複数の放射線遮蔽体１を水平方向に並べて設置するので、土嚢袋に比較して、地震時等における安定性を高めることができる。
【００４３】
以上、本発明の第１実施形態について説明したが、本発明の趣旨を逸脱しない範囲で適宜変更して実施できるのはいうまでもない。
【００４４】
例えば、本実施形態では、放射線遮蔽体１を休憩場所Ｓの周囲を囲むように設置したが、作業空間等の周囲を囲むように設置してもよい。
【００４５】
また、本実施形態では、袋体２０を用いたが、水３０を充填可能であって、かつ、透明性又は半透明性を有する容器であればよい。例えば、硬質な樹脂製の箱体等を用いてもよい。
【００４６】
また、図４に示すように、袋体２０を筒状体にしてもよい。変形例に係る袋体２０は、上下に延びる円筒状の本体部２６と、本体部２６の上端開口部を覆う半球状の屋根部２７とで構成されている。本体部２６には、ドア２８を設置するためのドア開口部２９が形成されている。本体部２６は、地面Ｇ上に立設されている。本体部２６は、ワイヤ４０およびアンカー５０を介して、地面Ｇ上に固定されている。かかる構成によれば、本体部２６が上下に延びる円筒状に形成されることで、袋体２０を安定して自立させることができるので、支持枠１０を設ける必要がない。また、ワイヤ４０およびアンカー５０を介して地面Ｇ上に袋体２０を固定するので、風荷重等に対する抵抗力を増大させることができる。なお、本体部２６は、例えば四角筒状等に形成されてもよい。
【００４７】
次に、本発明の第２実施形態に係る放射線遮蔽体で構築された遮蔽壁について、図５−１３を参照して詳細に説明する。
【００４８】
図５に示すように、遮蔽壁１００は、休憩場所Ｓの周囲を囲む構造体である。本実施形態の遮蔽壁１００は、直線部を成す複数の第１放射線遮蔽体６０，６０…と、コーナー部を成す複数の第２放射線遮蔽体７０，７０…と、第１放射線遮蔽体６０と第２放射線遮蔽体７０との間に配置される複数の第３放射線遮蔽体８０，８０…とで構築されている。休憩場所Ｓの入口では、一対の第１放射線遮蔽体６０，６０が対向して配置されていて、作業員が出入りするための通路Ｐを構成している。なお、遮蔽壁１００のレイアウトは、図５に示すものに限定されることなく適宜変更してよい。
【００４９】
＜第１放射線遮蔽体＞
図６に示すように、第１放射線遮蔽体６０は、第１支持枠６０Ａと、第１支持枠６０Ａの内部に配置される第１袋体６０Ｂと、第１支持枠６０Ａと第１袋体６０Ｂとの間に配置される第１金網６０Ｃとを備えている。第１支持枠６０Ａおよび第１金網６０Ｃは、特許請求の範囲における「支持体」に相当するものである。なお、図６では、第１支持枠６０Ａおよび第１金網６０Ｃを一部破断して描いている。
【００５０】
＜第１支持枠＞
第１支持枠６０Ａは、第１袋体６０Ｂを外側から支持する部材である。図７に示すように、本実施形態の第１支持枠６０Ａは、地面Ｇ上に設置される基礎枠６１と、基礎枠６１の左右両端部に設置される一対の端部支持枠６２，６２と、端部支持枠６２，６２同士を連結する複数の連結横材６３，６３…と、端部支持枠６２，６２の上端部同士を連結する第１天井横材６４とを備えている。
【００５１】
＜第１基礎枠＞
本実施形態の基礎枠６１は、４つの外側下横材６１ａ，６１ａ…と、２つの内側下横材６１ｂ，６１ｂと、３つの第１脚部６１ｃ，６１ｃ…と、３つの第１ベースプレート６１ｄ，６１ｄ…とを有している。
【００５２】
４つの外側下横材６１ａ，６１ａ…は、平面視四角枠状の枠体を成している。外側下横材６１ａは、単管で構成されている。外側下横材６１ａ，６１ａの長手方向の端部同士は、ジョイントＪ１を介して接続されている。
【００５３】
内側下横材６１ｂは、前後に対向する外側下横材６１ａ，６１ａの内側において、左右の外側下横材６１ａ，６１ａを繋いでいる。内側下横材６１ｂは、単管で構成されている。内側下横材６１ｂの長手方向の端部は、ジョイントＪ２を介して外側下横材６１ａに接続されている。
【００５４】
第１脚部６１ｃは、枠体の四隅のうち三箇所に垂設されている。第１脚部６１ｃの上端部は、ジョイントＪ１を介して枠体の隅部に接続されている。第１脚部６１ｃの内側には、端太材Ｅが設置されている。端太材Ｅは、角材で構成されている。
【００５５】
第１ベースプレート６１ｄは、第１脚部６１ｃの下端部に取り付けられている。第１ベースプレート６１ｄは、鋼板で構成されている。
【００５６】
＜端部支持枠＞
端部支持枠６２は、第１袋体６０Ｂを左右側方から支持する機能を備えている。本実施形態の端部支持枠６２は、外側下横材６１ａに立設された縦材６２ａと、縦材６２ａを挟んで対向する一対の斜材６２ｂ，６２ｂと、縦材６２ａと各斜材６２ｂ，６２ｂとを連結する複数の端部横材６２ｃ，６２ｃ…とを有している。縦材６２ａ、斜材６２ｂおよび端部横材６２ｃは、それぞれ単管で構成されている。
【００５７】
縦材６２ａは、外側下横材６１ａの長手方向の中間部から第１天井横材６４へ向けて上方に延出している。縦材６２ａの下端部は、ジョイントＪ３を介して外側下横材６１ａの長手方向の中間部に接続されている。縦材６２ａの上端部は、ジョイントＪ４を介して第１天井横材６４の長手方向の端部に接続されている。
【００５８】
一対の斜材６２ｂ，６２ｂは、枠体の隅部から第１天井横材６４へ向けて斜め上方に延出している。一対の斜材６２ｂ，６２ｂは、上方へ向かう程相互に近づくように傾斜している。斜材６２ｂの下端部は、ジョイントＪ１に結合されるジョイントＪ５を介して枠体の隅部に接続されている。斜材６２ｂの上端部は、ジョイントＪ４に結合されるジョイントＪ６を介して第１天井横材６４の長手方向の端部に接続されている。
【００５９】
本実施形態の端部横材６２ｃは、縦材６２ａを挟んで前後両側に４つずつ設置されている。上下に並ぶ４つの端部横材６２ｃ，６２ｃ…は、相互に間隔を空けて離間している。縦材６２ａを挟んで隣接する端部横材６２ｃ，６２ｃは、同一の高さ位置にある。前方の端部横材６２ｃは、前方の斜材６２ｂから縦材６２ａへ向けて水平に延出している。後方の端部横材６２ｃは、後方の斜材６２ｂから縦材６２ａへ向けて水平に延出している。端部横材６２ｃの一端部は、ジョイントＪ９に結合されるジョイントＪ７を介して斜材６２ｂに接続されている。縦材６２ａを挟んで隣接する端部横材６２ｃ，６２ｃの他端部同士は、共通のジョイントＪ８を介して縦材６２ａに接続されている。
【００６０】
＜連結横材＞
連結横材６３は、第１袋体６０Ｂを前又は後から支持する機能を備えている。連結横材６３は、単管で構成されている。本実施形態の連結横材６３は、端部支持枠６２，６２の前方の斜材６２ｂ，６２ｂの間、および、後方の斜材６２ｂ，６２ｂの間に６つずつ設置されている。上下に並ぶ６つの斜材６２ｂ，６２ｂ…は、相互に間隔を空けて離間している。連結横材６３の長手方向の端部は、ジョイントＪ９を介して斜材６２ｂに接続されている。
【００６１】
＜第１天井横材＞
第１天井横材６４は、第１袋体６０Ｂのベルト６５ｈ，６５ｉ（図６参照）が係止される部材であり、単管で構成されている。第１天井横材６４は、一方の縦材６２ａの上端部から他方の縦材６２ａの上端部へ向けて水平に延出している。第１天井横材６４の長手方向の端部は、ジョイントＪ４を介して縦材６２ａに接続されるとともに、ジョイントＪ４，Ｊ６を介して斜材６２ｂ，６２ｂの上端部に接続されている。
【００６２】
＜第１袋体＞
図８に示すように、第１袋体６０Ｂは、側面視で台形状の容器である。第１袋体６０Ｂの水平断面積は、下方へ向かう程大きくなっていて、第１支持枠６０Ａの内部空間の水平断面積よりも一回り大きく形成されている。第１袋体６０Ｂの内部には、水６０Ｄが充填されている。なお、第１袋体６０Ｂは、側面視で三角形状にされてもよい。
【００６３】
本実施形態の第１袋体６０Ｂは、平面視四角状の底部６５ａと、底部６５ａの４辺に立設する前側部６５ｂ、後側部６５ｃ、左側部６５ｄおよび右側部６５ｅと、上部に開口する開口部６５ｆと、開口部６５ｆを開閉可能に覆う蓋部６５ｇとを有している。
【００６４】
前側部６５ｂは、矩形状を呈している。前側部６５ｂは、底部６５ａの前縁から斜め後方へ向けて立ち上がっている。前側部６５ｂの上辺には、矩形状の面ファスナー６５ｊが設置されている。前側部６５ｂの上辺近傍には、帯状のベルト６５ｈ，６５ｈが左右に離間して設置されている。ベルト６５ｈの長手方向の一端部は、面ファスナー６５ｊの下方において、前側部６５ｂに取り付けられている。
【００６５】
後側部６５ｃは、矩形状を呈している。後側部６５ｃは、底部６５ａの後縁から斜め前方へ向けて立ち上がっている。後側部６５ｃの上辺近傍には、帯状のベルト６５ｉ，６５ｉがベルト６５ｈ，６５ｈと前後に対応する位置に設置されている。ベルト６５ｉの長手方向の一端部は、後側部６５ｃに取り付けられている。
【００６６】
本実施形態では、前側部６５ｂのベルト６５ｈと後側部６５ｃのベルト６５ｉを第１天井横材６４の外周に回して結ぶことによって、第１袋体６０Ｂが第１天井横材６４に保持される（図６参照、図６では結び目を省略している）。これにより、第１袋体６０Ｂへの注水作業を簡便かつ迅速に行える。
【００６７】
前側部６５ｂおよび後側部６５ｃの上部には、可視光を透過可能な窓部６５ｍ，６５ｍがそれぞれ形成されている。窓部６５ｍ，６５ｍは、前後に対向していて、矩形状の透明シートから成る。第１袋体６０Ｂの窓部６５ｍ以外の部位は、補強シートから成る。補強シートとしては、例えば繊維で補強された繊維シート等を用いるのが好ましい。
【００６８】
なお、透明シートや補強シートの範囲は適宜変更してよいが、高い水圧が加わる下部は、補強シートを用いて耐圧性を高め、下部よりも低い水圧が加わる上部は、透明シートを用いて採光性を高めるのが好ましい。また、透明シートに替えて半透明シートを用いてもよい。
【００６９】
左側部６５ｄは、台形状を呈している。左側部６５ｄは、鉛直に延在している。左側部６５ｄは、前側部６５ｂと後側部６５ｃの左辺同士を繋いでいる。
【００７０】
右側部６５ｅは、台形状を呈している。右側部６５ｅは、鉛直に延在している。右側部６５ｅは、前側部６５ｂと後側部６５ｃの右辺同士を繋いでいる。
【００７１】
開口部６５ｆは、水６０Ｄを注入するための注水部として機能する。開口部６５ｆは、平面視矩形状を呈している。開口部６５ｆは、前側部６５ｂ、後側部６５ｃ、左側部６５ｄおよび右側部６５ｅの上辺に囲われて形成されている。
【００７２】
蓋部６５ｇは、開口部６５ｆに適合する矩形状を呈している。蓋部６５ｇの一方の長辺（基端辺）は、後側部６５ｃの上辺に連続している。蓋部６５ｇは、一方の長辺を基点に回転可能である。蓋部６５ｇの他方の長辺（先端辺）には、矩形状の面ファスナー６５ｋが設置されている。蓋部６５ｇは、面ファスナー６５ｊ，６５ｋにより前側部６５ｂに対して着脱可能である。
【００７３】
注水時には、蓋部６５ｇを上方へ回転させ、面ファスナー６５ｋを前側部６５ｂの面ファスナー６５ｊから剥離し、開口部６５ｆを開方する（図８参照）。使用時には、蓋部６５ｇを下方へ回転させ、面ファスナー６５ｋを前側部６５ｂの面ファスナー６５ｊに貼り付け、蓋部６５ｇにより開口部６５ｆを閉塞する（図６参照）。
【００７４】
＜第１金網＞
第１金網６０Ｃは、第１袋体６０Ｂの各側部６５ｂ〜６５ｅの側方に１つずつ（合計４つ）設置されている、前側部６５ｂおよび後側部６５ｃの側方に位置する第１金網６０Ｃは、台形状を呈している。左側部６５ｄおよび右側部６５ｅの側方に位置する第１金網６０Ｃは、矩形状を呈している。第１金網６０Ｃは、第１支持枠６０Ａと第１袋体６０Ｂとの間に挟み込まれて設置され、第１袋体６０Ｂを補強する補強部材として機能している。
【００７５】
＜第２放射線遮蔽体＞
図９に示すように、第２放射線遮蔽体７０は、第２支持枠７０Ａと、第２支持枠７０Ａの内部に配置される第２袋体７０Ｂと、第２支持枠７０Ａと第２袋体７０Ｂとの間に配置される第２金網７０Ｃとを備えている。第２支持枠７０Ａおよび第２金網７０Ｃは、特許請求の範囲における「支持体」に相当するものである。
【００７６】
＜第２支持枠＞
第２支持枠７０Ａは、第２袋体７０Ｂを外側から支持する部材である。図１０に示すように、本実施形態の第２支持枠７０Ａは、４つの支柱７１，７１…と、２つの第２脚部７２，７２および第２ベースプレート７３，７３と、２つの下側連結横材７４，７４と、４つの上側連結横材７５，７５…と、複数の中間連結横材７６，７６…と、第２天井横材７７とを備えている。なお、第２支持枠７０Ａは、特許請求の範囲における「支持体」に相当するものである。
【００７７】
＜支柱＞
４つの支柱７１，７１…は、四角柱の側縁を成すように設置されている。支柱７１は、単管で構成されている。
【００７８】
＜第２脚部、第２ベースプレート＞
第２脚部７２，７２は、対角に位置する支柱７１，７１に垂設している。本実施形態の第２脚部７２は、右前方の支柱７１と左後方の支柱７１に垂設している。第２脚部７２の上端部は、ジョイントＪ１０を介して支柱７１の下端部に接続されている。第２ベースプレート７３は、第２脚部７２の下端部に取り付けられている。第２ベースプレート７３は、鋼板で構成されている。第２脚部７２の内側には、端太材Ｅが設置されている。端太材Ｅは、角材で構成されている。
【００７９】
＜下側連結横材＞
下側連結横材７４は、隣接する支柱７１，７１の下端部同士を連結するものであり、単管で構成されている。下側連結横材７４は、第２袋体７０Ｂを側方から支持する機能を備えている。本実施形態の下側連結横材７４は、左右前方の支柱７１，７１を連結するとともに、前後右方の支柱７１，７１を連結している。支柱７１を挟んで隣接する下側連結横材７４，７４の長手方向の一端部同士は、共通のジョイントＪ１０を介して支柱７１の下端部に接続されている。下側連結横材７４の長手方向の他端部は、ジョイントＪ１１を介して支柱７１の下端部に接続されている。
【００８０】
＜上側連結横材＞
上側連結横材７５は、隣接する支柱７１，７１の上端部同士を連結するものであり、単管で構成されている。隣接する上側連結横材７５，７５の長手方向の端部同士は、共通のジョイントＪ１２を介して支柱７１の上端部に接続されている。上側連結横材７５，７５が交わる部位には、直角状の上側角部７５ａが形成されている。
【００８１】
＜中間連結横材＞
中間連結横材７６は、隣接する支柱７１，７１の中間部同士を連結するものであり、単管で構成されている。中間連結横材７６は、第２袋体７０Ｂを側方から支持する機能を備えている。本実施形態の中間連結横材７６は、隣接する支柱７１，７１の間に５本ずつ（合計２０本）設置されている。上下に並ぶ５本の中間連結横材７６，７６は、相互に間隔を空けて離間している。隣接する中間連結横材７６，７６の長手方向の端部同士は、共通のジョイントＪ１３を介して支柱７１の途中部に接続されている。
【００８２】
＜第２天井横材＞
第２天井横材７７は、対角に位置する支柱７１，７１の上端部同士の間に設置されるものであり、単管で構成されている。第２天井横材７７には、第２袋体７０Ｂのベルト７８ｉが係止される（図９参照）。第２天井横材７７は、１つの上側角部７５ａからこの上側角部７５ａの対角に位置する上側角部７５ａへ向けて水平に延出している。第２天井横材７７の長手方向の端部は、ジョイントＪ１４を介して上側連結横材７５の長手方向の端部に接続されている。
【００８３】
＜第２袋体＞
図１１に示すように、第２袋体７０Ｂは、縦長の直方体を呈する容器である。第２袋体７０Ｂの水平断面積は、上下の全長に亘って一定であり、第２支持枠７０Ａの内部空間の水平断面積よりも一回り大きく形成されている。第２袋体７０Ｂの内部には、水７０Ｄが充填されている。
【００８４】
本実施形態の第２袋体７０Ｂは、平面視四角状の底部７８ａおよび上部７８ｂと、底部７８ａと上部７８ｂとの４辺を繋ぐ前側部７８ｃ、後側部７８ｄ、左側部７８ｅおよび右側部７８ｆと、上部７８ｂに開口する開口部７８ｇと、開口部７８ｇを開閉可能に覆う蓋部７８ｈとを有している。第２袋体７０Ｂは、補強シートから成る。補強シートとしては、例えば繊維で補強された繊維シート等を用いるのが好ましい。なお、透明シート又は半透明シートからなる窓部を第２袋体７０Ｂに形成してもよい。
【００８５】
各側部７８ｃ〜７８ｆは、側面視で矩形状を呈している。左側部７８ｅは、前側部７８ｃと後側部７８ｄの左辺同士を繋いでいる。右側部７８ｆは、前側部７８ｃと後側部７８ｄの右辺同士を繋いでいる。
【００８６】
上部７８ｂには、帯状のベルト７８ｉ，７８ｉが設置されている。ベルト７８ｉ，７８ｉは、上部７８ｂの角部近傍に設置されていて、開口部７８ｇを挟んで対角に位置している。ベルト７８ｉの長手方向の中間部は、上部７８ｂに取り付けられている。本実施形態では、ベルト７８ｉを第２天井横材７７の外周に回して結ぶことによって、第２袋体７０Ｂが第２天井横材７７に保持される（図９参照、図９では結び目を省略している）。これにより、第２袋体７０Ｂへの注水作業を簡便かつ迅速に行える。
【００８７】
上部７８ｂには、矩形状の面ファスナー７８ｊが設置されている。面ファスナー７８ｊは、本実施形態では３つ設置されていて、開口部７８ｇを三方（前方、後方、右方）から囲むように設置されている。
【００８８】
開口部７８ｇは、水７０Ｄを注入するための注水部として機能する。開口部７８ｇは、平面視円形状を呈している。開口部７８ｇは、上部７８ｂの中心に形成されている。
【００８９】
蓋部７８ｈは、矩形状を呈していて、開口部７８ｇの開口面積よりも大きく形成されている。蓋部７８ｈの一方の長辺（基端辺）は、上部７８ｂに連続している。蓋部７８ｈは、一方の長辺を基点に回転可能である。蓋部７８ｈの他方の長辺（先端辺）および２つの短辺には、コ字状の面ファスナー７８ｋが設置されている。蓋部７８ｈは、面ファスナー７８ｊ，７８ｋにより上部７８ｂに対して着脱可能である。
【００９０】
注水時には、蓋部７８ｈを上方へ回転させ、面ファスナー７８ｋを上部７８ｂの面ファスナー７８ｊから剥離し、開口部７８ｇを開方する（図１１参照）。使用時には、蓋部７８ｈを下方へ回転させ、面ファスナー７８ｋを面ファスナー７８ｊに貼り付け、蓋部７８ｈにより開口部７８ｇを閉塞する（図９参照）。
【００９１】
＜第２金網＞
第２金網７０Ｃは、第２袋体７０Ｂの各側部７８ｃ〜７８ｆの側方に１つずつ（合計４つ）設置されている、第２金網７０Ｃは、第２支持枠７０Ａと第２袋体７０Ｂとの間に挟み込まれて設置され、第２袋体７０Ｂを補強する補強部材として機能している。
【００９２】
＜第３放射線遮蔽体＞
図１２に示すように、第３放射線遮蔽体８０は、第１支持枠６０Ａと第２支持枠７０Ａとの間の隙間を塞ぐための袋体である。第３放射線遮蔽体８０の内部には、水８０Ａが充填されている。なお、第１支持枠６０Ａと第２支持枠７０Ａとを隙間なく繋げて、第３放射線遮蔽体８０を省いてもよい。
【００９３】
ここで、図１３を参照して、第１放射線遮蔽体６０と第２放射線遮蔽体７０との連結構造について説明する。なお、図１３では、第２放射線遮蔽体７０に隣接する２つの第１放射線遮蔽体６０，６０を図示している。また、図１３では、第１放射線遮蔽体６０の基礎枠６１のみを図示し、第２放射線遮蔽体７０の第２脚部７２、第２ベースプレート７３および下側連結横材７４のみを図示している。
【００９４】
左方の第１放射線遮蔽体６０において、後方の外側下横材６１ａの一端部６１ａ１は、ジョイントＪ１を貫通していて、第２放射線遮蔽体７０のジョイントＪ１０に挿通されている。これにより、左方の第１放射線遮蔽体６０と第２放射線遮蔽体７０とが相互に連結される。また、一端部６１ａ１は、ジョイントＪ１０を介して１つの第２脚部７２および第２ベースプレート７３に支えられている。すなわち、１つの第２脚部７２および第２ベースプレート７３は、第１放射線遮蔽体６０と第２放射線遮蔽体７０で共用されている。
【００９５】
後方の第１放射線遮蔽体６０において、左方の外側下横材６１ａの一端部６１ａ２は、ジョイントＪ１を貫通していて、第２放射線遮蔽体７０のジョイントＪ１０に挿通されている。これにより、後方の第１放射線遮蔽体６０と第２放射線遮蔽体７０とが相互に連結される。また、一端部６１ａ２は、ジョイントＪ１０を介して１つの第２脚部７２および第２ベースプレート７３に支えられている。すなわち、１つの第２脚部７２および第２ベースプレート７３は、２つの第１放射線遮蔽体６０，６０と１つの第２放射線遮蔽体７０で共用されている。
【００９６】
第２放射線遮蔽体７０において、前方の下側連結横材７４の一端部７４ａは、ジョイントＪ１０を貫通していて、左方の第１放射線遮蔽体６０のジョイントＪ１に挿通されている。これにより、左方の第１放射線遮蔽体６０と第２放射線遮蔽体７０とが相互に連結される。また、一端部７４ａは、ジョイントＪ１を介して１つの第１脚部６１ｃおよび第１ベースプレート６１ｄに支えられている。すなわち、１つの第１脚部６１ｃおよび第１ベースプレート６１ｄは、第１放射線遮蔽体６０と第２放射線遮蔽体７０で共用されている。
【００９７】
第２放射線遮蔽体７０において、右方の下側連結横材７４の一端部７４ｂは、ジョイントＪ１１を貫通していて、後方の第１放射線遮蔽体６０のジョイントＪ１に挿通されている。これにより、後方の第１放射線遮蔽体６０と第２放射線遮蔽体７０とが相互に連結される。また、一端部７４ｂは、ジョイントＪ１を介して１つの第１脚部６１ｃおよび第１ベースプレート６１ｄに支えられている。すなわち、１つの第１脚部６１ｃおよび第１ベースプレート６１ｄは、第１放射線遮蔽体６０と第２放射線遮蔽体７０で共用されている。
【００９８】
ちなみに、図７に示すように、第１天井横材６４の一端部６４ａは、ジョイントＪ４を貫通していて、隣接する不図示の第１放射線遮蔽体のジョイントに挿通される。第１天井横材６４と平行に延在する２つの外側下横材６１ａ，６１ａの他端部６１ａ３，６１ａ３は、ジョイントＪ１を貫通していて、隣接する第１放射線遮蔽体のジョイントに挿通される。これにより、隣接する第１放射線遮蔽体６０同士が相互に連結される。
【００９９】
本実施形態に係る放射線遮蔽体６０〜８０で構築された遮蔽壁１００は、基本的に以上のように構成されるものであり、次に、遮蔽壁１００の設置手順の一例について説明する。
【０１００】
第１支持枠６０Ａおよび第２支持枠７０Ａを休憩場所Ｓの周囲に設置する（図５参照）。このとき、隣接する第１支持枠６０Ａ，６０Ａ同士、および、第１支持枠６０Ａと第２支持枠７０Ａを相互に連結する。また、第１支持枠６０Ａにおいては、第１天井横材６４と上側の連結横材６３を外して、第１袋体６０Ｂを入れるための開口を確保する（図７参照）。第２支持枠７０Ａにおいては、第２天井横材７７と上側連結横材７５を外して、第２袋体７０Ｂを入れるための開口を確保する（図１０参照）。
【０１０１】
第１支持枠６０Ａの設置後、第１支持枠６０Ａの内部に第１金網６０Ｃを設置する（図６参照）。
【０１０２】
第１金網６０Ｃの設置後、第１支持枠６０Ａの内部かつ第１金網６０Ｃの内側に、空の第１袋体６０Ｂを設置する。
【０１０３】
第１袋体６０Ｂの設置後、第１天井横材６４と上側の連結横材６３を第１支持枠６０Ａに組み付ける。その後、前側部６５ｂのベルト６５ｈと後側部６５ｃのベルト６５ｉを第１天井横材６４の外周に回して結ぶことによって、第１袋体６０Ｂを第１天井横材６４に保持する。
【０１０４】
第１袋体６０Ｂの保持後、蓋部６５ｇを上方へ回転させ、面ファスナー６５ｋを前側部６５ｂの面ファスナー６５ｊから剥離し、開口部６５ｆを開方する（図８参照）。
【０１０５】
第１袋体６０Ｂの開口部６５ｆの開放後、開口部６５ｆから注水する。水６０Ｄを入れると、水圧により第１袋体６０Ｂが膨らむ。このとき、第１金網６０Ｃおよび第１支持枠６０Ａにより第１袋体６０Ｂの膨らみを抑えることができる。このため、第１袋体６０Ｂ自体で水圧に耐えなくてもよい。
【０１０６】
水６０Ｄの充填後に、蓋部６５ｇを下方へ回転させ、面ファスナー６５ｋを前側部６５ｂの面ファスナー６５ｊに貼り付け、蓋部６５ｇにより開口部６５ｆを閉塞する（図６参照）。
【０１０７】
一方、第２支持枠７０Ａの設置後、第２支持枠７０Ａの内部に第２金網７０Ｃを設置する（図９参照）。
【０１０８】
第２金網７０Ｃの設置後、第２支持枠７０Ａの内部かつ第２金網７０Ｃの内側に、空の第２袋体７０Ｂを設置する。
【０１０９】
第２袋体７０Ｂの設置後、第２天井横材７７と上側連結横材７５を第２支持枠７０Ａに組み付ける。その後、ベルト７８ｉを第２天井横材７７の外周に回して結ぶことによって、第２袋体７０Ｂを第２天井横材７７に保持する。
【０１１０】
第２袋体７０Ｂの保持後、蓋部７８ｈを上方へ回転させ、面ファスナー７８ｋを上部７８ｂの面ファスナー７８ｊから剥離し、開口部７８ｇを開方する（図１１参照）。
【０１１１】
第２袋体７０Ｂの開口部７８ｇの開放後、開口部７８ｇから注水する。水７０Ｄを入れると、水圧により第２袋体７０Ｂが膨らむ。このとき、第２金網７０Ｃおよび第２支持枠７０Ａにより第２袋体７０Ｂの膨らみを抑えることができる。このため、第２袋体７０Ｂ自体で水圧に耐えなくてもよい。
【０１１２】
水７０Ｄの充填後に、蓋部７８ｈを下方へ回転させ、面ファスナー７８ｋを上部７８ｂの面ファスナー７８ｊに貼り付け、蓋部７８ｈにより開口部７８ｇを閉塞する（図９参照）。
以上の手順を経て遮蔽壁１００が構築される。
【０１１３】
以上説明した本実施形態によれば、前記した第１実施形態と略同様の作用効果を奏することができる。
【０１１４】
本実施形態によれば、第１袋体６０Ｂが透明シートから成る窓部６５ｍを備えるので、外光を採り込みやすくなり、休憩場所Ｓの明るさを確保できる。
【０１１５】
第１袋体６０Ｂは、側面視で下方へ向かう程広がる台形状に形成されているので、第１袋体６０Ｂの重心位置が低くなり、第１袋体６０Ｂの倒れを防止できる。
【０１１６】
本実施形態によれば、ベルト６５ｈ，６５ｉを第１天井横材６４の外周に回して結ぶことによって、第１袋体６０Ｂを第１天井横材６４に保持できるので、第１袋体６０Ｂへの注水作業を簡便かつ迅速に行える。
また、ベルト７８ｉを第２天井横材７７の外周に回して結ぶことによって、第２袋体７０Ｂを第２天井横材７７に保持できるので、第２袋体７０Ｂへの注水作業を簡便かつ迅速に行える。
【０１１７】
本実施形態によれば、第１支持枠６０Ａと第２支持枠７０Ａが単管等の汎用品で構成されるので、コストダウンや設置・解体の作業性の向上を図ることができる。
【０１１８】
本実施形態によれば、第１金網６０Ｃが第１袋体６０Ｂと第１支持枠６０Ａとの間に配置されるので、第１金網６０Ｃによって第１袋体６０Ｂを補強して耐圧性を高めることができる。
また、第２金網７０Ｃが第２袋体７０Ｂと第２支持枠７０Ａとの間に配置されるので、第２金網７０Ｃによって第２袋体７０Ｂを補強して耐圧性を高めることができる。
【０１１９】
本実施形態によれば、第３放射線遮蔽体８０が袋体のみから成るので、第３放射線遮蔽体８０が水圧で膨らんで第１支持枠６０Ａと第２支持枠７０Ａに確実に密着する。これにより、第１支持枠６０Ａと第２支持枠７０Ａとの間の隙間を確実に塞ぐことができる。
【０１２０】
なお、本実施形態では第１金網６０Ｃおよび第２金網７０Ｃを備えたが、第１金網６０Ｃおよび第２金網７０Ｃを省略してもよい。この場合、第１支持枠６０Ａと第２支持枠７０Ａがそれぞれ特許請求の範囲の支持体に相当する。
【０１２１】
次に、本発明の第３実施形態に係る放射線遮蔽体について、図１４および図１５を参照して詳細に説明する。
【０１２２】
＜放射線遮蔽体＞
図１４および図１５に示すように、本実施形態の放射線遮蔽体１１０は、支持体１２０と、支持体１２０の内部に配置される袋体１５０（図１５参照）とを備えている。なお、袋体１５０は、支持体１２０の内部空間に配置可能であれば、その形状等は特段限定されるものでない。袋体１５０として、例えば第１実施形態の袋体２０や第２実施形態の第２袋体７０Ｂ等を用いてもよいし、複数の袋体を積み重ねてもよい。袋体１５０の内部には、水１５０Ａが充填されている。
【０１２３】
＜支持体＞
支持体１２０は、上部が開口する金属製の箱体である。支持体１２０は、支持枠１３０と、支持枠１３０と袋体１５０との間に配置される補強パネル１４０とを備えている。
【０１２４】
支持枠１３０は、袋体１５０を外側から支持する部材である。本実施形態の支持枠１３０は、底枠材１３１と、複数の支持材１３２，１３２…と、４つの隅支柱１３３，１３３…と、複数の中間支柱１３４，１３４…と、複数の連結横材１３５，１３５と、複数の天井横材１３６，１３６…と、複数の繋ぎ材１３７，１３７…と、複数の方杖１３８，１３８…とを有している。
【０１２５】
＜底材＞
底枠材１３１は、地面Ｇ上に設置されるものである。底枠材１３１は、例えば複数のＨ型鋼を梯子状に組み合わせて構成されている。底枠材１３１の左右方向の中央および外側は、複数の（例えば３枚の）敷鉄板１３９，１３９…を介して、地面Ｇ上に設置されている。
【０１２６】
＜支持材＞
支持材１３２は、底枠材１３１の前側面および後側面に設置されるものである。支持材１３２は、例えばＨ型鋼で構成されていて、底枠材１３１の前側面または後側面から底枠材１３１の前方または後方に向かって延出している。本実施形態の支持材１３２は、底枠材１３１を挟んで前後両側に３つずつ設置されている。左右に並ぶ３つの支持材１３２，１３２…は、相互に間隔を空けて配置されている。支持材１３２は、左右方向の中央および外側の中間支柱１３４に対応する位置に設けられていて、敷鉄板１３９を介して地面Ｇ上に設置されている。
【０１２７】
＜隅支柱＞
隅支柱１３３は、底枠材１３１の四隅に立設されている。隅支柱１３３は、例えば相互に結合した２つのＣ型鋼で構成されている。
【０１２８】
＜中間支柱＞
中間支柱１３４は、底枠材１３１の前縁および後縁（長手方向縁部）に立設されている。本実施形態の中間支柱１３４は、例えばＨ型鋼のみで構成されたものと、相互に結合した２つのＣ型鋼で構成されたものとがある。中間支柱１３４は、底枠材１３１の前縁および後縁に複数設置されている。左右に並ぶ中間支柱１３４，１３４…は、左右の隅支柱１３３，１３３の間において、相互に間隔を空けて配置されている。
【０１２９】
＜連結横材＞
連結横材１３５は、左右に隣り合う中間支柱１３４，１３４の間、左右に隣り合う中間支柱１３４と隅支柱１３３の間、前後に隣り合う隅支柱１３３，１３３の間を連結するものである。連結横材１３５は、例えばＣ型鋼で構成されている。本実施形態の連結横材１３５は、隣り合う支柱の間において、上下に相互に離間して３つ設置されている。
【０１３０】
＜天井横材＞
天井横材１３６は、左右に隣り合う中間支柱１３４，１３４の上端部同士、左右に隣り合う中間支柱１３４と隅支柱１３３の上端部同士、前後に隣り合う隅支柱１３３，１３３の上端部同士を連結するものである。天井横材１３６は、例えばＣ型鋼で構成されている。
【０１３１】
＜繋ぎ材＞
繋ぎ材１３７は、前後に対向する２つの中間支柱１３４，１３４同士を連結するものであり、中間支柱１３４の外側への倒れを抑制する機能を備えている。繋ぎ材１３７は、例えばＬ型鋼で構成されている。本実施形態の繋ぎ材１３７は、前後に対向する２つの中間支柱１３４，１３４の間において、上下に相互に離間して３つ設置されている。
【０１３２】
＜方杖＞
方杖１３８は、支持材１３２の先端と中間支柱１３４の上端部側を繋ぐものであり、中間支柱１３４の外側への倒れを抑制する機能を備えている。方杖１３８は、例えばＬ型鋼で構成されている。方杖１３８は、支持材１３２の先端から中間支柱１３４の上端部側へ向けて斜め上方に立ち上がっている。本実施形態の方杖１３８は、支持枠１３０の前後両側に３つずつ設置されている。繋ぎ材１３７と方杖１３８は、異なる中間支柱１３４に連結されている。
【０１３３】
＜補強パネル＞
補強パネル１４０は、デッキプレートから成る。以下の説明では、支持枠１３０の底面、側面、端面に配置される補強パネル１４０を区別するときには、底パネル１４１、側面パネル１４２、エンドパネル１４３として別の名称を使用する。
【０１３４】
＜底パネル＞
底パネル１４１は、底枠材１３１上に設置されるものである。底パネル１４１は、底枠材１３１と袋体１５０との間に挟み込まれて設置され、袋体１５０の底部を補強する補強部材として機能している。
【０１３５】
＜側面パネル＞
２つの側面パネル１４２，１４２は、前後に対向していて、支持枠１３０の前部および後部を内側から覆うものである。側面パネル１４２は、支持枠１３０（中間支柱１３４、連結横材１３５、天井横材１３６）と、袋体１５０との間に挟み込まれて設置され、袋体１５０の前部および後部を補強する補強部材として機能している。
【０１３６】
＜エンドパネル＞
２つのエンドパネル１４３，１４３は、左右に対向していて、支持枠１３０の左部および右部を内側から覆うものである。エンドパネル１４３は、側面パネル１４２，１４２の左右の端部同士の間に設置されている。エンドパネル１４３は、支持枠１３０（連結横材１３５、天井横材１３６）と、袋体１５０との間に挟み込まれて設置され、袋体１５０の左部および右部を補強する補強部材として機能している。
【０１３７】
以上説明した本実施形態によれば、前記した第１実施形態と略同様の作用効果を奏することができる。
なお、本実施形態では底枠材１３１および底パネル１４１を備えたが、底枠材１３１および底パネル１４１を省略してもよい。この場合、隅支柱１３３、中間支柱１３４、袋体１５０は、地面Ｇ上、あるいは、基礎コンクリート、敷鉄板、砕石等からなる基盤上に設置される。
【０１３８】
また、支持体１２０の各部材に使用する鋼材は、適宜変更してよい。例えば、Ｌ型鋼の繋ぎ材１３７にかえて、コンクリート型枠に使用されるセパレータ等を用いてもよい。
【０１３９】
また、本実施形態では補強パネル１４０を備えたが、補強パネル１４０を省略してもよい。この場合、支持枠１３０のみが特許請求の範囲の支持体に相当する。
【符号の説明】
【０１４０】
１      放射線遮蔽体
１０    支持枠（支持体）
１１    縦枠
１２    下横枠
１３    上横枠
１４    ブレース
１５ａ〜１５ｄ  開口部
１６    空間
２０    袋体（容器）
２１    隔室
２２    隔壁
２３    連通孔
２６    本体部
２７    屋根部
３０    水
Ｓ      休憩場所
Ｗ      作業員
１００  遮蔽壁
６０    第１放射線遮蔽体
６０Ａ  第１支持枠（支持体）
６０Ｂ  第１袋体（容器）
６０Ｃ  第１金網（支持体、補強部材）
６０Ｄ  水
７０    第２放射線遮蔽体
７０Ａ  第２支持枠（支持体）
７０Ｂ  第２袋体（容器）
７０Ｃ  第２金網（支持体、補強部材）
７０Ｄ  水
８０    第３放射線遮蔽体
８０Ａ  水
１１０  放射線遮蔽体
１２０  支持体
１３０  支持枠
１４０  補強パネル（補強部材）
１５０  袋体（容器）
１５０Ａ  水
【図１】
2015165227.tif 000003
【図２】
2015165227.tif 000004
【図３】
2015165227.tif 000005
【図４】
2015165227.tif 000006
【図５】
2015165227.tif 000007
【図６】
2015165227.tif 000008
【図７】
2015165227.tif 000009
【図８】
2015165227.tif 000010
【図９】
2015165227.tif 000011
【図１０】
2015165227.tif 000012
【図１１】
2015165227.tif 000013
【図１２】
2015165227.tif 000014
【図１３】
2015165227.tif 000015
【図１４】
2015165227.tif 000016
【図１５】
2015165227.tif 000017